(57)【特許請求の範囲】
【請求項１】
基地局を介して外部端末装置と音声通信を行う通信手段と、
擬似的な通話動作を行う擬似通話モードを設定可能なモード設定手段と、
特定の電話番号を登録する電話番号登録手段と、
前記モード設定手段により前記擬似通話モードが設定されている場合に、前記基地局を介して前記外部端末装置から通話要求があったとき、当該外部端末装置の電話番号が前記電話番号登録手段に登録された前記特定の電話番号であるか否かを判定する電話番号判定手段と、
前記電話番号判定手段により、前記外部端末装置の電話番号が前記特定の電話番号であると判定された場合に、前記擬似通話モードが設定されていない場合の通話要求時に行われる着信動作を伴わずに通話状態に移行させる第１移行手段と、を備える携帯無線機。
【請求項２】
前記電話番号判定手段により、前記外部端末装置の電話番号が前記特定の電話番号ではないと判定された場合には、前記通信手段を介して前記基地局に、当該外部端末装置に対して通話中である旨の通知をするように要求する要求手段を備える請求項１に記載の携帯無線機。
【請求項３】
前記電話番号判定手段により、前記外部端末装置の電話番号が前記特定の電話番号であると判定された場合に、着信動作を行うとともに、着信動作中に所定のキーが押下されることで通話状態に移行させる第２移行手段を備える請求項１に記載の携帯無線機。
【請求項４】
前記第１移行手段と前記第２移行手段とを選択的に切り替える選択手段と、を備える請求項３に記載の携帯無線機。
【請求項５】
前記第１移行手段は、前記電話番号判定手段により、前記外部端末装置の電話番号が前記特定の電話番号であると判定された場合に、音声ガイダンスによる着信動作を行った後に通話状態に移行させる請求項１乃至４のいずれかに記載の携帯無線機。
【発明の詳細な説明】
【技術分野】
【０００１】
本発明は、音声通話が可能な携帯無線機に関する。
【背景技術】
【０００２】
近年、防犯モードとして、実際の着信が無い場合にも、あたかも着信があり音声による通話を行っているように振舞うことができる擬似通信機能を有した携帯無線機が提案されている（例えば、特許文献１参照）。その他、偽りの着信報知を行う技術（例えば、特許文献２参照）や、緊急事態を簡単、確実、安全に通知する技術（例えば、特許文献３参照）がある。
【特許文献１】特開２００２−３４４５７９号公報
【特許文献２】特開２０００−８３０３５号公報
【特許文献３】特開２００５−２６８２７号公報
【発明の開示】
【発明が解決しようとする課題】
【０００３】
ところで、擬似通信機能を利用した擬似通話は、あくまで擬似的なものであり、この擬似通話中に外部端末装置から本当の着信があった場合には、携帯無線機には着信した旨が音声等により報知される。この場合、外部端末装置には、相手の携帯無線機を呼び出し中であることが通知される。
そのため、第３者は、ユーザの携帯無線機に電話をかけることで、このユーザが実際に通話しているのか、それとも擬似的な通話しているのかを容易に見極めることが可能であった。
このように、従来の携帯無線機では、擬似通信機能による防犯効果が十分ではなく、より性能の向上した擬似通信機能を備えた携帯無線機が求められていた。
【０００４】
従って、本発明は、擬似通信機能の性能が向上した携帯無線機を提供することにある。
【課題を解決するための手段】
【０００５】
本発明は、基地局を介して外部端末装置と音声通信を行う通信手段と、擬似的な通話動作を行う擬似通話モードを設定可能なモード設定手段と、特定の電話番号を登録する電話番号登録手段と、前記モード設定手段により前記擬似通話モードが設定されている場合に、前記基地局を介して前記外部端末装置から通話要求があったとき、当該外部端末装置の電話番号が前記電話番号登録手段に登録された前記特定の電話番号であるか否かを判定する電話番号判定手段と、前記電話番号判定手段により、前記外部端末装置の電話番号が前記特定の電話番号であると判定された場合に、前記擬似通話モードが設定されていない場合の通話要求時に行われる着信動作を伴わずに通話状態に移行させる第１移行手段と、を備える携帯無線機に関する。
【０００６】
また、前記電話番号判定手段により、前記外部端末装置の電話番号が前記特定の電話番号ではないと判定された場合には、前記通信手段を介して前記基地局に、当該外部端末装置に対して通話中である旨の通知をするように要求する要求手段を備えることが好ましい。
【０００７】
また、前記電話番号判定手段により、前記外部端末装置の電話番号が前記特定の電話番号であると判定された場合に、着信動作を行うとともに、着信動作中に所定のキーが押下されることで通話状態に移行させる第２移行手段を備えることが好ましい。
【０００８】
また、前記電話番号判定手段により、前記外部端末装置の電話番号が前記特定の電話番号であると判定された場合に、前記擬似通話モードが設定されていない場合の通話要求時に行われる着信動作を伴わずに通話状態に移行させる第１移行手段と、前記電話番号判定手段により、前記外部端末装置の電話番号が前記特定の電話番号であると判定された場合に、着信動作を行うとともに、着信動作中に所定のキーが押下されることで通話状態に移行させる第２移行手段と、前記第１移行手段と前記第２移行手段とを選択的に切り替える選択手段と、を備えることが好ましい。
【０００９】
また、前記第１移行手段は、前記電話番号判定手段により、前記外部端末装置の電話番号が前記特定の電話番号であると判定された場合に、音声ガイダンスによる着信動作を行った後に通話状態に移行させることが好ましい。
【発明の効果】
【００１０】
本発明によれば、擬似通信機能の性能が向上した携帯無線機を提供できる。
【発明を実施するための最良の形態】
【００１１】
以下、本発明の実施の形態について説明する。図１は、本発明に係る外部機器（無線基地局）と通信を行う携帯無線機の一例である携帯電話機１の外観斜視図である。
【００１２】
図１に示すように、携帯電話機１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００１３】
操作部側筐体部２は、フロントケース２ａの表面側に露出するように配設される操作キー群１１と音声入力部１２とを有して構成される。操作キー群１１は、各種設定や電話帳機能やメール機能等の各種機能を作動させるための機能設定操作キー１３と、数字や文字が割り当てられ、電話番号入力時やメール作成時等における文字入力時に用いられる入力操作キー１４と、各種操作における決定やスクロール等を行う決定操作キー１５と、から構成されている。また、操作部側筐体部２の側面には、イヤホンコネクタキャップ１６と、外部機器（無線基地局）と通信を行うためのインターフェース（図示せず）を覆うキャップ１７とが設けられている。更に、操作部側筐体部２の下端部には、充電用コネクタ（図示せず）を覆うキャップ１８ａと、一対の充電用接点部１８ｂとが設けられている。なお、音声入力部１２は、携帯電話機１の使用者が通話時に発した音声を入力するために用いられる。
【００１４】
表示部側筐体部３は、各種情報を表示するためのディスプレイ２１と、通話の相手側の音声を出力する通話用スピーカ２２と、メールや電話等の着信時に外部に音声を出力する外部出力用スピーカ（図示せず）と、を有して構成される。また、表示部側筐体部３の上端部には、他の携帯電話機等との間で赤外線通信を行うための赤外線通信部２４が設けられている。なお、外部出力用スピーカは、不図示であるが、表示部側筐体部３の背面（リアケース３ｂ側）又は操作部側筐体部２の背面（リアケース２ｂ側）に配置され、両筐体２、３を重ねた状態でも外部へ音声出力を行えるように構成されている。
【００１５】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り替えることができるように構成されている。
【００１６】
通信システム１０００は、図２に示すように、携帯電話機１と外部端末装置１０１とが、基地局としての無線基地局１００を介して、相互に通信可能なように構成されている。また、本発明に係る携帯電話機１は、防犯目的等のために、実際の着信が無い（通話を行っていない）場合にも、あたかも着信があり音声による通話を行っているように振舞うことができる擬似通信機能を備えている。
更に、携帯電話機１は、擬似通信機能を利用中に、無線基地局１００を介して外部端末装置１０１から通話要求があった場合、特定の電話番号からの通話要求以外には、無線基地局１００に、外部端末装置１０１に対して通話中である旨の通知をするように要求する機能を有している。
【００１７】
次に、携帯電話機１の当該機能について、図３を参照しながら説明する。
携帯電話機１は、通信部３１（通信手段）と、モード切替部３２（モード設定手段）と、電話番号登録部３３（電話番号登録手段）と、電話番号判定部３４（電話番号判定手段）と、要求部３５（要求手段）と、を備える。
【００１８】
通信部３１は、無線基地局１００を介して、他の携帯電話機等の外部端末装置１０１と音声通信を行う。
モード切替部３２は、通常の通話動作を行う通常通話モードと、擬似的な通話動作を行う擬似通話モードとを切り替える。
通常の通話動作とは、例えば、音声通話を着信したときに着信メロディーが外部出力用スピーカから出力され、ユーザが通話の操作を行うと、表示部側筐体部３の背面（他人から見える部位）に配置されている発光部（ＬＥＤ等により構成される）が明滅する等の所定の動作を示す。
擬似的な通話動作とは、あたかも現実に音声通話を着信したときのように、例えば、擬似的に着信メロディーが外部出力用スピーカから出力され、ユーザが通話の操作を行うと、表示部側筐体部３の背面（他人から見える部位）に配置されている発光部（ＬＥＤ等により構成される）が明滅する等して、擬似的な通話状態を演出する所定の動作のことを示す。
【００１９】
電話番号登録部３３は、擬似通信機能が働いているときに着信を許可する特定の電話番号を登録する。例えば、携帯電話機１が有しているアドレス帳作成機能（友達の電話番号やメールアドレス等をリスト化して登録する機能）を利用して、特定の電話番号を登録してもよい。具体的には、当該アドレス帳作成機能中に、擬似通話中でも通話を可能とする項目を用意しておき、当該項目が「ＯＮ」となっている電話番号を抽出することにより、特定の電話番号を登録する。
【００２０】
電話番号判定部３４は、モード切替部３２により擬似通話モードが設定されている場合に、無線基地局１００を介して外部端末装置１０１から通話要求があったとき、この外部端末装置１０１の電話番号が電話番号登録部３３に登録された特定の電話番号であるか否かを判定する。
要求部３５は、電話番号判定部３４により、外部端末装置１０１の電話番号が特定の電話番号ではないと判定された場合には、通信部３１を介して無線基地局１００に、この外部端末装置１０１に対して通話中である旨の通知をするように要求する。
【００２１】
このような構成によれば、電話番号判定部３４により、外部端末装置１０１の電話番号が特定の電話番号ではないと判定された場合には、要求部３５は、無線基地局１００に、外部端末装置１０１に対して通話中である旨の通知をするように要求する。これにより、外部端末装置１０１には、通話中であることを示す通知がなされるので、外部端末装置１０１のユーザは、この携帯電話機１のユーザが擬似通話を行っていても、本当に通話を行っているかのように認識する。
そのため、外部端末装置１０１のユーザが擬似通信機能を備えた携帯電話機１を使用するユーザを視認可能な範囲でつけまわしているような場合であっても、外部端末装置１０１のユーザは、携帯電話機１のユーザが擬似通話をしていることを見破れないので、擬似通話機能による防犯効果が向上する。つまり、本発明によれば、擬似通信機能の性能が向上した携帯電話機１を提供できる。
【００２２】
また、携帯電話機１は、電話番号判定部３４により外部端末装置１０１の電話番号が特定の電話番号であると判定された場合には、通常の通話動作に係る着信動作を伴わずに通常通話状態に移行する第１移行部３６（第１移行手段）を備える構成であってもよい。
通常の通話動作に係る着信動作とは、例えば、通話要求があった場合に、オフフックキーを押下して携帯電話機１を通常通話状態に移行させるといったユーザが行う所定の動作を示す。
【００２３】
このような構成によれば、第１移行部３６は、電話番号判定部３４が特定の電話番号であると判定した場合に、着信動作を行わず通常通話状態に移行する。これにより、擬似通話を行っているときに特定の電話番号から着信があった場合には、着信動作を行わずに音声通信を開始できるので、擬似通信機能の利便性が向上する。
【００２４】
また、携帯電話機１は、電話番号判定部３４により外部端末装置１０１の電話番号が特定の電話番号であると判定された場合には、所定のキーが押下されることで通常通話状態に移行する第２移行部３７（第２移行手段）を備える構成であってもよい。
所定のキーとは、上述の操作キー群１１を構成する複数のキーのうちのいずれかのキーを示し、例えば、通常通話モードにおいて、音声通信を開始する場合に押下するオフフックキーを示す。
【００２５】
このような構成によれば、第２移行部３７は、電話番号判定部３４が特定の電話番号であると判定した場合に、所定のキーが押下されると通常通話状態に移行する。これにより、擬似通話を行っているときに特定の電話番号から着信があった場合には、音声通話を行うか否かをユーザ自身で決定できる。
【００２６】
また、携帯電話機１は、第１移行部３６と、第２移行部３７と、第１移行部３６により実行されるモードと第２移行部３７により実行されるモードとを選択的に切り替える選択部３８（選択手段）と、を備える構成であってもよい。
【００２７】
このような構成によれば、ユーザは、擬似通話を行っているときに特定の電話番号から着信があった場合に、着信動作を行わず通常通話状態に移行するか、それとも所定のキーを押下することで通常通話状態に移行するかを選択的に切り替えできるので、擬似通信機能の利便性が向上する。
【００２８】
また、第１移行部３６は、電話番号判定部３４により、外部端末装置１０１の電話番号が特定の電話番号であると判定された場合に、通常の通話動作に係る着信動作を伴わずに音声ガイダンスを行い、通常通話状態に移行することが好ましい。
このような構成によれば、第１移行部３６は、通常通話状態に移行する前に、通常通話状態に移行する旨の音声ガイダンスを行う。これにより、ユーザは、音声通信を開始する前に誰からの着信であるかを認識できるので、擬似通話機能の利便性が更に向上する。
【００２９】
次に、擬似通話中に外部端末装置１０１から着信があった場合における携帯電話機１の動作について、図４を参照しながら説明する。
図４は、擬似通話中に外部端末装置１０１から着信があった場合における携帯電話機１の動作を示すフロー図である。
【００３０】
先ず、携帯電話機１は、所定のキーを押すことにより、擬似通話モードに設定される。擬似通話モードが設定されると、現実に音声通話を着信したときのように、例えば、擬似的に着信メロディーが外部出力用スピーカから出力され、ユーザが通話の操作を行うと、表示部側筐体部３の背面（他人から見える部位）に配置されている発光部（ＬＥＤ等により構成される）が明滅する等して、擬似的な通話状態を演出する。尚、この発光部の点灯に限らずに、内部メモリに記憶されている擬似会話データに基づく音声を通話用スピーカ２２から出力して、通常の通話時と同様にユーザに会話を促すような構成であってもよい（ステップＳ１）。
【００３１】
擬似通話モードが設定された状態で、無線基地局１００を介して外部端末装置１０１から通話要求があると、電話番号判定部３４は、この外部端末装置１０１の電話番号が電話番号登録部３３に登録された特定の電話番号であるか否かを判定する。（ステップＳ２）。
【００３２】
電話番号判定部３４により、通話要求があった外部端末装置１０１の電話番号が特定の電話番号ではないと判定された場合には、要求部３５は、無線基地局１００に、この外部端末装置１０１に対して通話中である旨の通知をするように要求する。無線基地局１００は、要求部３５からの要求を受信すると、外部端末装置１０１に対して通話中であることを示す応答を行う（ステップＳ３）。
この通話中であることを示す応答は、音声による応答であってもよく、所定のパターンの音による応答であってもよい。
【００３３】
電話番号判定部３４により、通話要求があった外部端末装置１０１の電話番号が特定の電話番号であると判定された場合は、携帯電話機１は、第１移行部３６が設定されているか、第２移行部３７が設定されているかを判断する（ステップＳ４）。
【００３４】
携帯電話機１が第１移行部３６により実行されるモードに設定されている場合には、携帯電話機１は、通話用スピーカ２２から通常通話状態に移行する旨の音声ガイダンスを行い、その後、着信動作を行わず通常通話状態に移行する（ステップＳ５）。
尚、この音声ガイダンスでは、通話要求があった外部端末装置１０１の情報（電話番号やユーザの氏名等）を通知したり、音声通信を開始する旨を通知したりする。
これにより、音声通信が開始される（ステップＳ６）。
【００３５】
携帯電話機１が第２移行部３７に設定されている場合には、携帯電話機１は、通話用スピーカ２２から着信を繰り返し通知する（ステップＳ７）。
ここで、所定のキーが押下された場合には、携帯電話機１は、通常通話状態に移行して（ステップＳ８）、音声通信が開始される（ステップＳ６）。
所定のキーが押下されなかった場合には、携帯電話機１は、外部端末装置１０１からの通話要求が解除されるまで着信を繰り返し通知する。
【００３６】
尚、本発明の技術的範囲は、上述した実施形態に制限されるものではなく、本発明の趣旨を逸脱しない範囲において、種々の変更を加えることが可能である。
例えば、上述した実施形態では、携帯電話機１が第２移行部３７により実行されるモードに設定されている場合には、外部端末装置１０１からの通話要求が解除されるまで着信を繰り返し通知する構成であったが、これに限らない。即ち、所定時間内に所定のキーが押下されなかった場合には、携帯電話機１は、外部端末装置１０１からの通話要求を切断する構成であってもよい。
【００３７】
また、上述した実施形態では、擬似通信機能が動作している場合に、特定の電話番号からの通話要求でない場合に、通話中の応答を行っているが（図４、Ｓ２、Ｓ３参照）、これを、擬似通信機能が動作している場合に、特定の電話番号からの通話要求である場合に、通話中の応答を行う処理とするようにしてもよい。即ち、擬似通信機能動作中における、通話中の応答を行う電話番号を特定する処理であってもよい。
更に、上述した実施形態では、擬似通信機能が動作している場合に、特定の電話番号からの通話要求でない場合に、通話中の応答を行っているが（図４、Ｓ２、Ｓ３参照）、これを、擬似通信機能が動作している場合に、特定の電話番号からの通話要求でない場合に、通話中の応答を行うモード、着信拒否をするモード、着信動作を行うモード等のモード設定が可能とするようにしてもよい。
【００３８】
また、本実施形態においては、通信機器の一例としてヒンジ機構４を介して操作部側筐体部２と表示部側筐体部３とが相対的に動く、いわゆる折り畳み式の携帯電話機１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、更には、操作部側筐体部２と表示部側筐体部３とが一つの筐体に配置されたもの（いわゆる、ストレートタイプ）であっても適用可能である。
【図面の簡単な説明】
【００３９】
【図１】本発明に係る携帯電話機の外観を示す斜視図である。
【図２】本発明に係る携帯電話機が無線基地局を介して外部端末装置に接続される様子を示す模式図である。
【図３】本発明に係る携帯電話機の機能を示す機能ブロック図である。
【図４】擬似通話中に外部端末装置から着信があった場合における携帯電話機の動作を示すフロー図である。
【符号の説明】
【００４０】
１  携帯電話装置（携帯無線機）
２２  通話用スピーカ
３１  通信部（通信手段）
３２  モード切替部（モード設定手段）
３３  電話番号登録部（電話番号登録手段）
３４  電話番号判定部（電話番号判定手段）
３５  要求部（要求手段）
３６  第１移行部（第１移行手段）
３７  第２移行部（第２移行手段）
３８  選択部（選択手段）
１００  無線基地局（基地局）
１０１  外部端末装置
【図１】
0005095505.tif 000002
【図２】
0005095505.tif 000003
【図３】
0005095505.tif 000004
【図４】
0005095505.tif 000005